(57)【要約】【課題】照射角度が広く、強力な発光力を得る事が可能で、且つ、従来品との互換性が確保でき、多用途に使用出来、且つ、振動・衝撃に強く、工事費用及び維持・管理費用の削減を可能にする固定又は可動式ＬＥＤパネル付広角反射型照明器具を開発・提供する。【解決手段】照射角度を拡大して発光面積を広げ発光性能を向上させる為、下面部を所定角度の逆富士山状に形成して設けた反射板を有する器具本体と、器具本体の反射板面に沿ってそれぞれ固着して設けた所定幅と所定長さを有するＬＥＤパネルから成り、又、照射角度を拡大して発光面積を広げ発光性能を向上させる為、下面部を所定角度の逆富士山状に形成して設けた反射板を有する器具本体と、器具本体の反射板面に沿って設けた所定幅と所定長さを有するＬＥＤパネルが遥動軸部を支点として左右それぞれが独立して所定角度遥動可能に設けたものである。【選択図】  図３
2010219015.tif 000002
【特許請求の範囲】
【請求項１】
半導体素子を光源とし、天井面（ＣＥ）に露出させて装着する露出型ＬＥＤ照明器具において、下面部を所定角度（α）の逆富士山状に形成して設けた反射板（１ａ）を有する器具本体（１）と、器具本体（１）の反射板（１ａ）（１ａ）面に沿ってそれぞれ固着して設けた所定幅（Ｗ）寸法と所定長さ（Ｌ）寸法を有するＬＥＤパネル（２）（２）から成る事を特徴とする固定式ＬＥＤパネル付広角反射型露出照明器具。
【請求項２】
半導体素子を光源とし、天井面（ＣＥ）に露出させて装着する露出型ＬＥＤ照明器具において、下面部を所定角度（α）の逆富士山状に形成して設けた反射板（１ａ'）（１ａ'）を有する器具本体（１'）と、器具本体（１'）の反射板（１ａ'）（１ａ'）面に沿って設けた所定幅（Ｗ）寸法と所定長さ（Ｌ）寸法を有するＬＥＤパネル（２'）（２'）が遥動軸部（１ｂ）（１ｂ）を支点として左右それぞれが独立して所定角度（β）（β）遥動可能に設けた事を特徴とする可動式ＬＥＤパネル付広角反射型露出照明器具。
【請求項３】
半導体素子を光源とし、天井面（ＣＥ）に埋め込み用開口部（ＣＥ'）（ＣＥ"）をそれぞれ設けて内部に装着する埋め込み型ＬＥＤ照明器具において、埋め込み用開口部（ＣＥ'） （ＣＥ"）に適合し、且つ、縦（Ｙ）（Ｙ'）寸法・横（Ｘ）（Ｘ'）寸法・深さ（Ｚ）（Ｚ'）寸法がそれぞれ従来規格に順じ、下面部に取付用鍔部を有する正四角箱形状又は矩形状に形成し、且つ、下面部に所定幅（Ｗａ）（Ｗａ'）寸法と所定長さ（Ｌａ）（Ｌａ'）寸法を有するＬＥＤパネル（２２）（２２'）を、所定角度（α）（α'）の富士山状又は逆富士山状に、それぞれ固着して設けた事を特徴とする固定式ＬＥＤパネル付広角反射型埋込照明器具。
【請求項４】
半導体素子を光源とし、天井面（ＣＥ）に埋め込み用開口部（ＣＥ"）を設けて内部に装着する埋め込み型ＬＥＤ照明器具において、埋め込み用開口部（ＣＥ"）に適合し、且つ、縦（Ｙ）寸法・横（Ｘ）寸法・深さ（Ｚ）寸法が従来規格に順じ、下面に取付用鍔部を有する正四角箱形状に形成して設けた器具本体（１１"）と、器具本体（１１"）に設けた所定幅（Ｗ"）寸法と所定長さ（Ｌ"'）寸法を有するＬＥＤパネル（２２"）（２２"）が遥動軸部（１ｂ"）（１ｂ"）を支点として左右それぞれが独立して所定角度（β'）（β'） 遥動可能に設けた事を特徴とする可動式ＬＥＤパネル付広角反射型埋込照明器具。
【発明の詳細な説明】
【技術分野】
【０００１】
この発明は、半導体素子を光源とし、天井面に設置するか、或いは、天井面に開口部を設けて埋設する固定又は可動式ＬＥＤパネル付広角反射型照明器具に関するものである。
【背景技術】
【０００２】
従来の照明器具は蛍光灯が主流で、蛍光灯ランプ器具で一般に広く普及しているタイプは逆富士山型器具である。この逆富士山型器具は、照明灯ランプに対してそれぞれの反射板が斜め外向きに設けられている為、反射作用により反射した光が広範囲に照射され、部屋全体を明るくするというメリットがあった。
【０００３】
又、従来の埋込型器具には、スクエアタイプ（Ｕ字蛍光管）とコンフォートタイプ（直管型蛍光管）の２種類があり、これらの器具は、ランプに対して反射板が付いており、光源の発光を効率良く拡散し、広範囲を照射するというメリットがあった。
【０００４】
そして、最近では蛍光灯に変わる、半導体素子を光源としたＬＥＤランプが色々な所で使用されるように成った。しかし、このＬＥＤランプの欠点は、他の光源に比較し光の広がりが弱く、素子単体での発光力が弱い為、通常は複数個の素子を組み合せて一つの照明器具としている。しかしながら、現在普及している逆富士山型の代替と成る現行ＬＥＤ照明は、半導体素子光源の集合体でＬＥＤのパネルを形成し、発光力はあるものの、パネルをフラットに配置する方法がとられており、直下照度は確保できるものの、照射角度が狭く広範囲で照度が確保出来ないという問題がある。
【０００５】
そこで、上記問題を解消すべく、照射角度を広げ、広範囲の照度を確保することで光の繋がりを各段に向上させ、強力な発光力を得る事が可能な照明器具を早期に開発する事が要求されている。
【０００６】
これまでに出願されているＬＥＤ照明器具の特許文献を、参考の為紹介する（特許文献１〜２参照）。
【先行技術文献】
【特許文献】
【０００７】
【特許文献１】登録実用新案第３１４７５７７号
【特許文献２】特許公開２００８−１９８６１８
【発明の概要】
【発明が解決しようとする課題】
【０００８】
そこで、上記課題を解決する為に、この発明は照射角度が広く、強力な発光力を得る事が可能で、且つ、従来品との互換性が確保でき、多用途に使用出来、且つ、振動・衝撃に強く、工事費用及び維持・管理費用の削減を可能にする固定又は可動式ＬＥＤパネル付広角反射型照明器具を開発・提供する事にある。
【課題を解決するための手段】
【０００９】
この発明は、下面部を所定角度の逆富士山状に形成して設けた反射板を有する器具本体と、器具本体の反射板面に沿ってそれぞれ固着して設けた所定幅寸法と所定長さ寸法を有するＬＥＤパネルから成るものである。
【００１０】
又、下面部を所定角度の逆富士山状に形成して設けた反射板を有する器具本体と、器具本体の反射板面に沿って設けた所定幅寸法と所定長さ寸法を有するＬＥＤパネルが遥動軸部を支点として左右それぞれが独立して所定角度遥動可能に設けたものである。
【００１１】
又、埋め込み用開口部に適合し、且つ、縦寸法・横寸法・深さ寸法がそれぞれ従来規格に順じ、下面部に取付用鍔部を有する正四角箱形状又は矩形状に形成し、且つ、下面部に所定幅寸法と所定長さ寸法を有するＬＥＤパネルを、所定角度の逆富士山状又は富士山状に、それぞれ固着して設けたものである。
【００１２】
又、埋め込み用開口部に適合し、且つ、縦寸法・横寸法・深さ寸法が従来規格に順じ、下面に取付用鍔部を有する正四角箱形状に形成して設けた器具本体と、器具本体に設けた所定幅寸法と所定長さ寸法を有するＬＥＤパネルが遥動軸部を支点として左右それぞれが独立して所定角度遥動可能に設けたものである。
【発明の効果】
【００１３】
この発明の効果として、固定式ＬＥＤパネル付広角反射型露出照明器具は、下面部を所定角度の逆富士山状に形成して設けた反射板を有する器具本体と、器具本体の反射板面に沿ってそれぞれ固着して設けた所定幅寸法と所定長さ寸法を有するＬＥＤパネルから成る事で、照射角度を広げ、広範囲の照度を確保する事が可能と成り、光の繋がりを向上させる事で、発光面積が広く成り、より強力な発光力を得る事が出来る。又、可動式ＬＥＤパネル付広角反射型露出照明器具は、下面部を所定角度の逆富士山状に形成して設けた反射板を有する器具本体と、器具本体の反射板面に沿って設けた所定幅寸法と所定長さ寸法を有するＬＥＤパネルが遥動軸部を支点として左右それぞれが独立して所定角度遥動可能に設けた事で、照射角度調整機能を持たせて必要に応じた光の調整加減が可能と成る。又、固定式ＬＥＤパネル付広角反射型埋込照明器具及び可動式ＬＥＤパネル付広角反射型埋込照明器具は、埋め込み用開口部に適合し、且つ、縦寸法・横寸法・深さ寸法がそれぞれ従来規格に順じ、下面部に取付用鍔部を有する正四角箱形状又は矩形状に形成し、且つ、下面部に所定幅寸法と所定長さ寸法を有するＬＥＤパネルを、所定角度の逆富士山状又は富士山状に、それぞれ固着して設けた事で、新たな天井開口や天井補修が不要と成り、従来品との互換性を保つ事で、工事費用及び維持・管理費用の削減が可能に成り、且つ、振動や衝撃に強い為、耐久性・安全性に優れる等、極めて有益なる効果を奏するものである。
【図面の簡単な説明】
【００１４】
【図１】この発明の一実施例を示し、（Ａ）は固定式ＬＥＤパネル付広角反射型露出照明器具の正面図で、（Ｂ）は底面図である。
【図２】この発明の一実施例を示し、固定式ＬＥＤパネル付広角反射型露出照明器具の右側面図である。
【図３】この発明の一実施例を示し、固定式ＬＥＤパネル付広角反射型露出照明器具の底面視斜視図である。
【図４】この発明の一実施例を示し、（Ａ）は可動式ＬＥＤパネル付広角反射型露出照明器具の正面図で、（Ｂ）は底面図である。
【図５】この発明の一実施例を示し、可動式ＬＥＤパネル付広角反射型露出照明器具の右側面図である。
【図６】この発明の一実施例を示し、可動式ＬＥＤパネル付広角反射型露出照明器具の底面視斜視図である。
【図７】この発明の一実施例を示し、（Ａ）は矩形状固定式ＬＥＤパネル付広角反射型埋込照明器具の断面図で、（Ｂ）は底面図である。
【図８】この発明の一実施例を示し、（Ａ）正四角富士山状固定式ＬＥＤパネル付広角反射型埋込照明器具の断面図で、（Ｂ）は正四角逆富士山状固定式ＬＥＤパネル付広角反射型埋込照明器具の断面図で、（Ｃ）は底面図である。
【図９】この発明の一実施例を示し、可動式ＬＥＤパネル付広角反射型埋込照明器具の正面視断面図である。
【発明を実施するための形態】
【００１５】
発明を実施するための形態として、半導体素子を光源とし、天井面（ＣＥ）に露出させて装着する露出型ＬＥＤ照明器具において、下面部を所定角度（α）の逆富士山状に形成して設けた反射板（１ａ）を有する器具本体（１）と、器具本体（１）の反射板（１ａ）（１ａ）面に沿ってそれぞれ固着して設けた所定幅（Ｗ）寸法と所定長さ（Ｌ）寸法を有するＬＥＤパネル（２）（２）から成る事を特徴とする固定式ＬＥＤパネル付広角反射型露出照明器具から構成される。
【００１６】
又、半導体素子を光源とし、天井面（ＣＥ）に露出させて装着する露出型ＬＥＤ照明器具において、下面部を所定角度（α）の逆富士山状に形成して設けた反射板（１ａ'） （１ａ'）を有する器具本体（１'）と、器具本体（１'）の反射板（１ａ'）（１ａ'）面に沿って設けた所定幅（Ｗ）寸法と所定長さ（Ｌ）寸法を有するＬＥＤパネル（２'）（２'）が遥動軸部（１ｂ）（１ｂ）を支点として左右それぞれが独立して所定角度（β）（β）遥動可能に設けた事を特徴とする可動式ＬＥＤパネル付広角反射型露出照明器具から構成される。
【００１７】
又、半導体素子を光源とし、天井面（ＣＥ）に埋め込み用開口部（ＣＥ'）（ＣＥ"）をそれぞれ設けて内部に装着する埋め込み型ＬＥＤ照明器具において、埋め込み用開口部（ＣＥ'） （ＣＥ"）に適合し、且つ、縦（Ｙ）（Ｙ'）寸法・横（Ｘ）（Ｘ'）寸法・深さ（Ｚ）（Ｚ'）寸法がそれぞれ従来規格に順じ、下面部に取付用鍔部を有する矩形状又は正四角箱形状に形成し、且つ、下面部に所定幅（Ｗａ）（Ｗａ'）寸法と所定長さ（Ｌａ）（Ｌａ'）寸法を有するＬＥＤパネル（２２）（２２'）を、所定角度（γ）・（γ'）（γ'）の逆富士山状・富士山状又は逆富士山状に、それぞれ固着して設けた事を特徴とする固定式ＬＥＤパネル付広角反射型埋込照明器具から構成される。
【００１８】
又、半導体素子を光源とし、天井面（ＣＥ）に埋め込み用開口部（ＣＥ"）を設けて内部に装着する埋め込み型ＬＥＤ照明器具において、埋め込み用開口部（ＣＥ"）に適合し、且つ、縦（Ｙ）寸法・横（Ｘ）寸法・深さ（Ｚ）寸法が従来規格に順じ、下面に取付用鍔部を有する正四角箱形状に形成して設けた器具本体（１１"）と、器具本体（１１"）に設けた所定幅（Ｗ"）寸法と所定長さ（Ｌ"'）寸法を有するＬＥＤパネル（２２"）（２２"）が遥動軸部（１ｂ"）（１ｂ"）を支点として左右それぞれが独立して所定角度（β'）（β'） 遥動可能に設けた事を特徴とする可動式ＬＥＤパネル付広角反射型埋込照明器具から構成される。
【実施例１】
【００１９】
そこで、この発明の一実施例（露出型照明器具）を図１〜図６に基づいて詳述すると、図１（Ａ）・（Ｂ）は固定式ＬＥＤパネル付広角反射型照明器具の正面図・底面図で、図２は天井面（ＣＥ）取付時の右側面図である。図２に示す様に器具本体（１）は下面部を所定角度（α）の逆富士山状に形成して設けた反射板（１ａ）を有し、且つ、器具本体の反射板（１ａ）（１ａ）面に沿ってそれぞれ固着して設けた所定幅（Ｗ）寸法と所定長さ（Ｌ）寸法を有するＬＥＤパネル（２）（２）から成るもので、照射角度を逆富士山状に形成して設けた事で、照射角を広げ光の繋がりを向上させる事で広範囲の照度を確保し、より強力な発光力を得る事が可能となる。
【００２０】
そして、図３は固定式ＬＥＤパネル付広角反射型露出照明器具の底面視斜視図である。
【００２１】
又、図４（Ａ）・（Ｂ）は可動式ＬＥＤパネル付広角反射型露出照明器具の正面図・底面図で、図５は天井面（ＣＥ）取付時の右側面図である。図５に示す様に器具本体（１'）は下面部を所定角度（α）の逆富士山状に形成して設けた反射板（１ａ'）を有し、且つ、器具本体の反射板（１ａ'）（１ａ'）面に沿って設けたＬＥＤパネル（２'）（２'）が遥動軸部（１ｂ）（１ｂ）を支点として左右それぞれが独立して所定角度（β）（β）遥動可能に設けた事で、照射角度を器具直下に集中したり、広範囲に照射したり、用途や状況に応じた任意調整を可能にする。
【００２２】
そして、図６は可動式ＬＥＤパネル付広角反射型露出照明器具の底面視斜視図である。
【実施例２】
【００２３】
この発明のその他の実施例として、半導体素子を光源とし、天井面（ＣＥ）に埋め込み用開口部（ＣＥ'）（ＣＥ"）をそれぞれ設けて内部に装着する埋め込み型ＬＥＤ照明器具において、埋め込み用開口部（ＣＥ'）（ＣＥ"）に適合し、且つ、縦（Ｙ）（Ｙ'）寸法・横（Ｘ）（Ｘ'）寸法・深さ（Ｚ）（Ｚ'）寸法がそれぞれ従来規格に順じ、下面部に取付用鍔部を有する正四角箱形状又は矩形状に形成し、且つ、下面部に所定幅（Ｗａ）（Ｗａ'）寸法と所定長さ（Ｌａ）（Ｌａ'）寸法を有するＬＥＤパネル（２２）（２２'）を、所定角度（γ）・（γ'）（γ'）の逆富士山状・富士山状又は逆富士山状に、それぞれ固着して設けた事を特徴とする固定式ＬＥＤパネル付広角反射型埋込照明器具から構成される。
【００２４】
又、半導体素子を光源とし、天井面（ＣＥ）に埋め込み用開口部（ＣＥ"）を設けて内部に装着する埋め込み型ＬＥＤ照明器具において、埋め込み用開口部（ＣＥ"）に適合し、且つ、縦（Ｙ）寸法・横（Ｘ）寸法・深さ（Ｚ）寸法が従来規格に順じ、下面に取付用鍔部を有する正四角箱形状に形成して設けた器具本体（１１"）と、器具本体（１１"）に設けた所定幅（Ｗ"）寸法と所定長さ（Ｌ"'）寸法を有するＬＥＤパネル（２２"）（２２"）が遥動軸部（１ｂ"）（１ｂ"）を支点として左右それぞれが独立して所定角度（β'）（β'） 遥動可能に設けた事を特徴とする可動式ＬＥＤパネル付広角反射型埋込照明器具から構成される。
【００２５】
そして、実施例１の露出型照明器具に対して、図７（Ａ）（Ｂ）は固定式ＬＥＤパネル付広角反射型埋込照明器具の断面図と底面図で、埋め込み用開口部（ＣＥ'）に適合し、且つ、縦（Ｙ）寸法・横（Ｘ）寸法・深さ（Ｚ）寸法がそれぞれ従来規格に順じ、下面部に取付用鍔部を有する矩形状に形成し、且つ、下面部に所定幅（Ｗａ）寸法と所定長さ（Ｌａ）寸法を有するＬＥＤパネル（２２）を、所定角度の逆富士山状に固着して設けたものである。
【００２６】
又、図８は固定式ＬＥＤパネル付広角反射型埋込照明器具で、（Ａ）は富士山状の断面図で、（Ｂ）は逆富士山状の断面図で、（Ｃ）は底面図で、埋め込み用開口部（ＣＥ"）に適合し、且つ、縦（Ｙ'）寸法・横（Ｘ'）寸法・深さ（Ｚ'）寸法がそれぞれ従来規格に順じ、下面部に取付用鍔部を有する正四角箱形状に形成し、且つ、下面部に所定幅（Ｗａ'）寸法と所定長さ（Ｌａ'）寸法を有するＬＥＤパネル（２２'）を、所定角度の富士山状又は逆富士山状に、それぞれ固着して設けたものである。
【００２７】
又、図９は可動式ＬＥＤパネル付広角反射型埋込照明器具の断面図で、天井面（ＣＥ）に設けた埋め込み用開口部（ＣＥ"）に適合し、且つ、縦（Ｙ'）寸法・横（Ｘ'）寸法・深さ（Ｚ'）寸法が従来規格に順じ、下面に取付用鍔部を有する正四角箱形状に形成して設けた器具本体（１１"）と、器具本体（１１"）に設けた所定幅（Ｗａ"）寸法と所定長さ（Ｌａ"）寸法を有するＬＥＤパネル（２２"）（２２"）が遥動軸部（１ｂ"）（１ｂ"）を支点として左右それぞれが独立して所定角度（β'）（β'） 遥動可能に設けたもので、従来の埋め込み型器具と同一の寸法形状（縦×横×深さ）に形成する事で、新たな天井開口や天井補修を不要とし、吊り具等の付属部品を再利用可能にして、取替工事を容易にするものである。
【００２８】
但し、スクエアタイプは従来器具（吊位置）の種類により、逆富士山型と富士山型器具本体に使い分ける。但し、ＬＥＤパネルは１種類とし、共通化を図るものとする。
【００２９】
尚、上記ＬＥＤパネルは直流電源で発光しており、バッテリー駆動に適している為、振動や衝撃に強く、長寿命である等の利点を生かして全タイプ（６種類）の器具にバッテリーを搭載した非常灯型にも適用可能とする。
【産業上の利用可能性】
【００３０】
この発明の固定又は可動式ＬＥＤパネル付広角反射型照明器具は、照射角度が広く、強力な発光力を得る事が可能で、且つ、従来品との互換性が確保でき、多用途に使用出来、且つ、振動・衝撃に強く、工事費用及び維持・管理費用の削減を可能にする事で、家電業界等多くの市場に寄与する為、産業上の利用可能性を有する。
【符号の説明】
【００３１】
１  器具本体（露出矩形型固定式）
１ａ  反射板（露出矩形型固定式）
１ｂ  遥動軸部
１'  器具本体（露出矩形型可動式）
１ａ'  反射板（露出矩形型可動式）
１１  器具本体（埋込矩形型固定式）
１１'  器具本体（埋込正四角型固定式）
１１"  器具本体（埋込正四角型可動式）
１ｂ"  遥動軸部
２  ＬＥＤパネル（露出矩形型固定式）
２'  ＬＥＤパネル（露出矩形型可動式）
２２  ＬＥＤパネル（埋込矩形型固定式）
２２'  ＬＥＤパネル（埋込正四角型固定式）
２２"  ＬＥＤパネル（埋込正四角型可動式）
ＣＥ  天井面
ＣＥ'  埋め込み用開口部
ＣＥ"  埋め込み用開口部
Ｌ  所定長さ
Ｌａ  所定長さ
Ｌａ'  所定長さ
Ｌａ"  所定長さ
Ｗ  所定幅
Ｗａ  所定幅
Ｗａ'  所定幅
Ｗａ"  所定幅
α  所定角度
β  所定角度
β'  所定角度
γ  所定角度
γ'  所定角度
Ｘ  縦
Ｘ'  縦
Ｙ  横
Ｙ'  横
Ｚ  深さ
Ｚ'  深さ
【図１】
2010219015.tif 000003
【図２】
2010219015.tif 000004
【図３】
2010219015.tif 000005
【図４】
2010219015.tif 000006
【図５】
2010219015.tif 000007
【図６】
2010219015.tif 000008
【図７】
2010219015.tif 000009
【図８】
2010219015.tif 000010
【図９】
2010219015.tif 000011